(57)【要約】      （修正有）【課題】矢によって的枠が破損した場合においても、安価、且つ、容易に再生させることができる的枠を提供する。【解決手段】的枠１は、的紙３が取り付けられる前端部と、後端部とを備える、筒状の第１部材７と、該第１部材７の後端部と取り外し自在に係合されるようになった前端部と、候串が取り付けられる後端部とを備える、筒状の第２部材１１とを有することを特徴とする。これにより、矢が当たり損傷した第１部材７を第２部材１１から取り外し、損傷した第１部材７のみを廃棄し、新たな第１部材７を第２部材１１に取り付けることによって的枠１を再生することができ、的枠１全体を廃棄する必要がない。【選択図】図１
0003142770.tif 000002
【実用新案登録請求の範囲】
【請求項１】
的紙が取り付けられる前端部と、後端部とを備える、筒状の第１部材と、
該第１部材の後端部と取り外し自在に係合されるようになった前端部と、候串が取り付けられる後端部とを備える、筒状の第２部材とを有する、
的枠。
【請求項２】
前記第２部材の後端部の内面又は外面に、候串をスナップ嵌めするための溝が形成されている、請求項１記載の的枠。
【請求項３】
前記第２部材の前記溝にスナップ嵌めされた候串の前端部の、前記溝から突出する部分が、丸みを帯びて後方に延びるように形成されている、請求項２に記載の的枠。
【請求項４】
前記第１部材又は前記第２部材が、板状体の一方の端面と、他方の端面とを係合させることによって筒状に構成されている、請求項１乃至請求項３の何れか一項に記載の的枠。
【請求項５】
前記第２部材が前記第１部材よりも硬い材料で作られている、請求項１乃至請求項４の何れか一項に記載の的枠。
【考案の詳細な説明】
【技術分野】
【０００１】
本考案は、弓道で使用される的枠に関し、より具体的には、矢によって的枠が破損した場合においても、安価、且つ、容易に再生することができる的枠に関する。
【背景技術】
【０００２】
従来から、弓道で使用される的枠は、的紙で覆われる的紙側開口と、的枠を安土に載置するときに安土、畳、マット等、的枠が載置される基礎と対向するように形成される背面側開口とを有し、全体的に円筒体からなる。そしてこのような的枠は、的紙側開口を有する前端部が所定の的模様を表した的紙で覆われ、後端部が候串を用いて安土に固定される。そしてこのような的枠としては、特許文献１に記載された発明がある。
【０００３】
【特許文献１】実開平４−７３７９９
【考案の開示】
【考案が解決しようとする課題】
【０００４】
弓道に使用される矢は高価であるため、的枠に当たったときに矢が損傷するのを避けるため、的枠は、矢が損傷しない、比較的やわらかい材質のもので作られている。
従って、的枠、多くの場合、その前端部に矢が当たった場合、的枠前端部が破損し、的枠全体を取り替えなければならないとう問題があった。
的枠の前端部が破損した場合、これを修理することも可能であるが、前端部には、矢保護のため、的紙側開口の全周に渡って面取り加工が施されているため、破損した的枠の修理は煩雑であり、よって、修理費用が嵩んでしまうという問題がある。
【０００５】
そこで、本考案は、上記問題を解決するために考案されたものであり、矢によって的枠が破損した場合においても、安価、且つ、容易に再生することができる的枠を提供することを目的とする。
【課題を解決するための手段】
【０００６】
上記課題を解決するために、本考案の的枠は、的紙が取り付けられる前端部と、後端部とを備える、筒状の第１部材と、該第１部材の後端部と取り外し自在に係合されるようになった前端部と、候串が取り付けられる後端部とを備える、筒状の第２部材とを有する、ことを特徴とする。
【０００７】
この構成によれば、矢が当たり損傷した第１部材を第２部材から取り外し、損傷した第１部材のみを廃棄し、新たな第１部材を第２部材に取り付けることによって的枠を再生することができ、的枠全体を廃棄する必要がない。
【０００８】
また、前記第２部材の後端部の内面又は外面に、候串をスナップ嵌めするための溝が形成されているのが好ましい。この構成によれば、第２部材の後端部の内方は外方に突出する候串の量を少なくし、これに矢が当たる可能性を低めることができる。
【０００９】
更に、前記第２部材の前記溝にスナップ嵌めされた候串の前端部の、前記溝から突出する部分が、丸みを帯びて後方に延びるように形成されているのが好ましい。この構成によれば、溝から突出した候串の前端部に矢が当たっても、矢を逸らすことができ、候串、矢の破損を防止することができる。
【００１０】
更にまた、前記第１部材又は前記第２部材が、板状体の一方の端面と、他方の端面とを係合させることによって筒状に構成されているのが好ましい。この構成によれば、使用しないときには板状体の形態で保管等することができ、空間占有率を下げることができる。
【００１１】
また、前記第２部材が前記第１部材よりも硬い材料で作られているのが好ましい。この構成によれば、第１部材に比して第２部材の耐久性をより向上させることができる。
【考案の効果】
【００１２】
上述したとおり、本考案によれば、矢によって的枠が破損した場合においても、安価、且つ、容易に的枠を再生させることができる。
【考案を実施するための最良の形態】
【００１３】
以下、図面を参照して本考案の実施形態を説明する。尚、以下では説明の便宜上、的枠１の使用時に矢が飛来してくる側を的枠１の正面とし、反対側を背面として詳細な説明を行う。
【００１４】
図１に示すように、的枠１が、的紙３で覆われる的紙側開口５を備える円筒状の第１部材７と、背面側開口又は安土側開口９を備え、安土に固定される円筒状の第２部材１１とを備える。これらの第１部材７、第２部材１１は、後述する仕方で、軸方向に取り外し自在に連結されるようになっている。
【００１５】
図２に示すように、第１部材７を構成する周壁の前端縁には全周に亘って面取りがなされ、周壁の外面から半径方向内方、後方に延びる斜面７ａが形成されている。斜面７ａにより、正面から飛来した矢が、的紙側開口５の斜面７ａに当たった場合においても、矢の先端を背面側に逸らすことができ、第１部材７が破損することを防止することができる。尚、斜面７ａは、周壁の内面から半径方向外方、後方に延びるように形成されても良い。
【００１６】
第１部材７、第２部材１１は、例えばプラスチックにより形成することができる。そして、第１部材７は、これに矢が当たったときでも矢が破損しない程度の比較的軟質なプラスチックを用いて形成することが好ましい。そして、的枠１の軸方向における長さにおいて、第２部材１１の長さが占める割合が、第１部材７の長さが占める割合よりも多いことが好ましい。これにより、後述するように矢が当たり破損したときに廃棄されることになる第１部材７のコストの低下を図ることができる。第２部材１１は、これに矢が当たって矢が破損する可能性が低く、恒久的使用が可能であるため、第１部材７よりも硬い材質で作られるのが好ましい。
【００１７】
また、第１部材７及び第２部材１１は、長方形の板状体を丸めて形成されるのが好ましい。例えば、第１部材７を形成するのに用いられる板状体は、図７（ａ）に示すように、その短辺の一方の端面に係止溝１５ａが形成され、図７（ｂ）に示すように、短辺の他方の端面には、係止溝１５ａと対応する相補形状の係止凸条１５ｂが形成されている。第１部材７は、上記板状体を曲げ、係止溝１５ａと係止凸条１５ｂとを係合することによって構成される。これにより、例えば第１部材７の輸送時及び保管時には、第１部材７を板状体として輸送、保管することができる。そして、使用時に、板状体を第１部材７に形成することができる。係止溝１５ａ、係止凸条１５ｂに代えて、既知の任意の係止手段を用いることができる。
【００１８】
的枠１はまた、第１部材７と第２部材１１とを取り外し自在に取り付けるための係止手段を有する。この係止手段は、本実施形態では、第１部材７を構成する周壁の後端縁に円周方向に間隔を隔てて形成された複数の凹溝７ｂと、これに対応して、後述する第２部材１１を構成する周壁の前端縁に円周方向に間隔を隔てて形成された複数の凸条１１ａとからなり、凹溝７ｂと凸条１１ａとは互いに嵌合するように寸法形状決めされている。
上記係止手段は、凹溝と凸条に限定されるものではなく、第１部材７と第２部材１１とを取り外し自在に取り付けることができる既知の任意の手段を用いることができる。尚、この係止手段は、的枠１を正面からみたときに、視認することができないような構成であることが好ましい。これにより、正面から飛来した矢が係止手段に当たって、矢、又は、係止手段が破損することを防止することができる。
凹溝７ｂ、凸条１１ａは円周方向に連続して形成されても良い。
【００１９】
図３に示すように、第２部材１１を構成する周壁の後端部の内面には安土側開口９から前方に延びる、図４に示すような候串１３を着脱自在にスナップ嵌めするための複数の係合溝１１ｂが形成されている。本実施形態では、係合溝１１ｂは、第２部材１１の円周方向において等間隔隔てて配置された３つの係合溝１１ｂからなるけれども、その数は特に限定されるものではなく、１つでも良い。また、係合溝１１ｂは第２部材１１の内面に形成されるのが好ましいが、外面であっても良い。
【００２０】
候串１３は、既述のとおり、的枠１を安土に固定するのに用いられる。図４に示すように、候串１３は、安土に突き刺される第１端部１３ａと、係合溝１１ｂにスナップ嵌めされる第２端部１３ｂとを有する。
係合溝１１ｂの形状は、図５から良くわかるように、円弧形であり、係合溝１１ｂに嵌められる部分の第２端部１３ｂの形状は係合溝１１ｂの形状と相補形状であり、これらの形状は第２端部１３ｂが係合溝１１ｂにスナップ嵌めされることができれば充分であり、特に限定されない。
【００２１】
ところで、従来用いられていた候串は、候串１３の第２端部１３ｂに相当する部分が二股に形成され、この二股が的枠の周壁の後端部を弾性挟持することによって候串を的枠に固定していた。しかしながら、この従来の候串の構成では、矢が的枠の外方に出っ張る候串部分に当たってしまうという問題があった。この点、本考案によれば、候串１３は的枠の内面にて支持されるので、的枠を外れた矢が候串１３に当たることはない。
また、係合溝１１ｂに嵌められたときに係合溝１１ｂから第２部材１１の内方に出っ張る候串１３の部分は、第２端部１３ｂの前端から丸みを帯びて後方に延びるため、飛来した矢が候串１３の第２端部１３ｂに当たった場合においても、候串１３は、矢の先端を背面側に逸らすことができる。これにより、候串１３又は矢が破損することを防止することができる。
【００２２】
上述した構成の的枠１では、矢が第１部材７に当たり、これが破損したとしても、第２部材１１は破損しないので、ユーザは、破損した第１部材７を第２部材１１から取り外し、新しい第１部材７を第２部材１１に固定すれば良い。これにより、的枠１全体を交換する必要性がなくなり、安価、且つ、容易に的枠１を再生することができる。
そして、第２部材１１は、破損する可能性が極めて低いため、第２部材を半永久的に使用することができる。
【００２３】
本考案は、上述した実施形態に限定されるものではなく、種々の変更、変形が可能である。
例えば、第１部材７の後端部は、第２部材１１の前端部に係合されたときに、第２部材１１の内面及び／又は外面に面係合するつめがかりを備えても良い。また、このつめがかりは第２部材１１の前端部に設けられていても良い。
また、第２部材１１は、第１部財７と同様に、板状体の端部同士を係合させることによって構成しても良い。
【図面の簡単な説明】
【００２４】
【図１】本考案の一実施形態による的枠の斜視図である。
【図２】図１の的枠を構成する第１部材の断面図である。
【図３】図１の的枠を構成する第２部材の断面図である。
【図４】図１の的枠を構成する候串の側面図である。
【図５】候串を取り付けた状態で示す第２部材の部分断面図である。
【図６】候串を取り付けた状態で示す第２部材の部分横断面図である。
【図７】第１部材を構成する板状体の係合される端面を示す斜視図である。
【符号の説明】
【００２５】
１              的枠
３              的紙
５              的紙側開口
７              第１部材
９              安土側開口
１１            第２部材
１１ｂ          溝
１３            候串
【図１】
0003142770.tif 000003
【図２】
0003142770.tif 000004
【図３】
0003142770.tif 000005
【図４】
0003142770.tif 000006
【図５】
0003142770.tif 000007
【図６】
0003142770.tif 000008
【図７】
0003142770.tif 000009